(57)【要約】      （修正有）【課題】あつい，つめたいなどにて持てない容器などの物品、指紋や手垢などをつけたくない印刷用フィルムや写真などの物品を携帯便利な吸着提手の吸着によって直接触れることなく持てるようにすること。【解決手段】一面の全面に吸着用の微細なミクロ吸盤を設けたシートの他面に提手を取付けて、あつい，つめたいなどにより持てない物品、および指紋，手垢などをつけたくない物品を吸着持ちするようにした物品の吸着提手である。【選択図】図１
0003104903.tif 000002
【実用新案登録請求の範囲】
【請求項１】
一面の全面に吸着用の微細なミクロ吸盤を設けたシートの他面に提手を取付けて、あつい，つめたいなどにより持てない物品、および指紋，手垢などをつけたくない物品を吸着持ちするようにしたことを特徴とする物品の吸着提手。
【請求項２】
シートの一隅に吸着の剥がし端を設ける請求項１記載の物品の吸着提手。
【請求項３】
提手は折畳み展開自在にして携帯および保管をしやすくした請求項１または２に記載の物品の吸着提手。
【請求項４】
物品は微細なミクロ吸盤の吸着を可能にするために表面を平滑にする請求項１乃至３のいずれかに記載の物品の吸着提手。
【考案の詳細な説明】
【技術分野】
【０００１】
この考案は物品の吸着提手、詳しくはあつい，つめたい飲料容器、指紋，手垢などをつけたくない印刷用フィルム，写真などを吸着持ちするための吸着提手に関するものである。
【背景技術】
【０００２】
従来、あつい飲料，つめたい飲料の缶容器などは持つのに難儀しており、布，ハンカチなどを間に入れて持つようにしている。そこで提手付の紙コップなどの提案がある（例えば特許文献１，図８参照）。
【特許文献１】登録実用新案第３００８８１６号公報
【考案の開示】
【考案が解決しようとする課題】
【０００３】
あつい，つめたい容器などを布，ハンカチを間に入れて持つときは容器が滑り落ちるという課題があり、また提手付の紙コップなどは他の容器に転用使用することができないという課題がある。また写真などを無造作に持つと指紋や手垢がつくという別の課題がある。
【課題を解決するための手段】
【０００４】
本考案は、一面の全面に吸着用の微細なミクロ吸盤を設けたシートの他面に折畳み展開形の提手を取付けて、あつい，つめたいなどにより持てない缶容器などにミクロ吸盤を設けた一面を吸着して持つようにし、また同様にして指紋，手垢などをつけたくない物品を吸着して持ち運びするようにしたのである。なお、シートの一隅に吸着の剥がし端を設けて、剥がし端から簡単に吸着を解き剥がすことができるようにする。また、提手は折畳み展開自在にしたので、不使用時には扁平にして携帯および保管などを容易にしている。微細なミクロ吸盤は表面の平滑な物品によく吸着するので、物品の表面は平滑なものであることが望まれる。このようにして本考案は、前記した課題を解決するようにしたのである。
【考案の効果】
【０００５】
本考案は以上のようにして、シートのミクロ吸着面の容器への吸着と他面に取付けた提手の展開によって、あつい，つめたいなどにより持てない缶容器などを簡単に持って飲食等ができることとなる効果を生ずる。
【０００６】
ミクロ吸盤面を写真，印刷用フィルムなどに吸着して、これらを持つことにより、写真などは指紋や手垢などをつけることが防止されるという効果を生ずる。
【０００７】
シートの一隅に吸着の剥がし端を設けたことにより、吸着した容器やフィルム，写真などから簡単に吸着を剥がし解くことができるという効果を生ずる。
【０００８】
提手を折畳み展開自在としたことにより、不使用時には全体を薄く小さく折畳んだ形にしてポケットやハンドバッグなどに入れて簡易に携帯することができるという効果を生ずる。
【考案を実施するための最良の形態】
【０００９】
本考案は、微細なミクロ吸盤を内面の全面に設けた糊なし吸着タイプのシートと該シートの他面に折畳み展開形の提手を取付けて吸着提手を形成し、あつい，つめたいなどにより持てない飲料缶など、または指紋や手垢をつけたくない写真などを持ち運ぶ際に、シートのミクロ吸盤面を用いて吸着して支持し、提手を展開して持つことによって持ち上げ、持ち運びすることができるようにしたのである。またシートの一隅に吸着の剥がし端を設けて簡単に吸着を剥がし解くことができるようにしたのである。提手を折畳み展開自在にしたことにより携帯を容易にして、いつでも取出して使用することができることとなる。
【実施例１】
【００１０】
微細なミクロ吸盤を一面１ａの全面に多設した糊なし吸着タイプの柔軟なシート１を形成し、該シート１の他面１ｂの中央部に提手２を取付けて吸着提手３を形成する。提手２は中間の取付部２ａをもとに折畳み展開自在とする両側の取手部２ｂ，２ｃとからなり、取付部２ａをシート１の中央部の縦方向の全長に接着等により取付けて固定する。２ｄ，２ｅは取手部２ｂ，２ｃの中間に設けた指掛用の孔である。なお、この種の微細なミクロ吸盤を設けたシートは、ダイヤミック株式会社の製品名ダイヤフィット製などがあり、提手２は保形力を備えて且つ折畳み展開の可能な防水紙や合成樹脂板などにて形成する。
【００１１】
あつい飲料の入った缶容器Ｋなどを持って飲みたいときは、図２（１ａ）に示すように提手２の取手部２ｂ，２ｃを展開して、図２（１ｂ）に示すようにシート１の内面の全面を中間にシワや空気だまりが生じないように注意して缶容器Ｋの側胴面に吸着するのである。缶容器Ｋはシート１のミクロ吸盤の吸着によって支持されるので、提手２を持って持ち上げることができることになる。図２（２ａ）（２ｂ）は同様にしてつめたい飲物の入ったコップＣに提手３を吸着取付けした例で、つめたさを感ずることなく、また結露で手指を汚すことなしに持つことができる。使用後はシート１を缶容器ＫやコップＣから剥がし、取手部２ｂ，２ｃを折畳んで扁平に小さくして、ポケットやハンドバッグなどに入れて簡便に携帯することができるようにする。
【実施例２】
【００１２】
図３はシート１の一隅にミクロ吸盤の吸着を解くための剥がし端１ｃを設けた例を示している。剥がし端１ｃはその部分のミクロ吸盤をあらかじめ形成しないようにするか、またはフィルムコーティングなどしてミクロ吸盤を塞いでしまうのである。よって剥がし端１ｃの部分は缶容器Ｋに吸着しないので、吸着提手３の使用後は、吸着しているシート１をここから剥がすことによって簡単に全体の吸着を解くことができることとなる。
【実施例３】
【００１３】
図４は指紋や手垢などをつけたくない印刷フィルム，写真などを持ち運ぶための吸着提手３の形成例を示すものである。剥がし端１ｃを少し大きめにし且つ折立て形にて形成しておくことにより、フィルムＦや写真Ｐに全く触れることなく吸着を解くことができ、持ち運びの作業を繰返すことができることになる。大きなフィルムＦなどを取り扱うときには吸着提手３を２個用いて安定させて持ち運ぶようにすることもよい。
【００１４】
吸着提手３のシート１と提手２は図示した例の形状にとどまらず、大きさや形状を適宜かえて組合わせるようにして見栄えよく，使いやすくすることができる。
【産業上の利用可能性】
【００１５】
本考案は以上のようにして、糊なし吸着タイプのシートの他面に折畳み展開形の提手を取付け、缶容器などにシートのミクロ吸盤面を吸着し、提手を展開して持つことにより、やけどをしたり、結露で指先を汚したりすることなく、あつい，つめたいなどにより持てない容器を持つことができ、また指紋や手垢をつけたくないフィルム，写真等を吸着して持ち運びすることができる。その他にも微細なミクロ吸盤に吸着可能な表面の平滑な物品であれば、直接触れることなく吸着支持して取り扱うことができることとなる。指紋，手垢などが全くつかないことになる。
【図面の簡単な説明】
【００１６】
【図１】提手を折畳んだ状態にて示す吸着提手の一例で、（ａ）はシートの一面から見た図、（ｂ）はシートの他面から見た図、（ｃ）は平面図
【図２】提手を展開した使用状態を示すもので、（１ａ）（１ｂ）は缶への取付け例、（２ａ）（２ｂ）はコップへの取付け例を示す各斜視図
【図３】シートの一隅に剥がし端を形成した例を示す取付け状態の斜視図と、シートの一面側の図
【図４】写真，印刷用フィルムを吸着持ちする例を示す斜視図
【符号の説明】
【００１７】
１は糊なし吸着タイプのシート
１ａはミクロ吸盤を全面に多設したシートの一面
１ｂはシートの他面
１ｃは剥がし端
２は提手
２ａは取付部
２ｂ，２ｃは取手部
２ｄ，２ｅは指掛用の孔
３は吸着提手
【図１】
0003104903.tif 000003
【図２】
0003104903.tif 000004
【図３】
0003104903.tif 000005
【図４】
0003104903.tif 000006